【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】ＡＴＭ網通信システムおよび方法


【手続補正２】
【補正対象書類名】明細書
【補正対象項目名】特許請求の範囲
【補正方法】変更
【補正の内容】
【特許請求の範囲】
【請求項１】
ユーザ・ネットワーク・インタフェースによる通信機能を夫々に備えたＡＴＭコネクション装置およびネットワークサービス制御装置がＡＴＭ網に接続され、
前記ユーザ・ネットワーク・インタフェースによる通信機能を備えた端末装置が前記ＡＴＭコネクション装置およびＡＴＭ網を介して他の端末装置と情報を授受するＡＴＭ網通信システムにおいて、
前記ネットワークサービス制御装置は、ユーザ・ネットワーク・インタフェースにより設定変更できる端末識別情報とそれに対応するＡＴＭ網での接続情報を少なくとも含む端末装置の接続情報を蓄積保持する端末接続情報記憶手段と、前記ユーザ・ネットワーク・インタフェースにより接続先の前記端末識別子情報が受信されると、当該受信した端末識別情報に対応するＡＴＭ網での接続情報が前記端末接続情報記憶手段から接続先端末情報として読み出され、該読み出された接続先端末情報を前記ユーザ・ネットワーク・インタフェースによって前記ＡＴＭコネクション装置に送信する手段とを備え、
前記ＡＴＭコネクション装置は、前記ネットワークサービス制御装置から受信した前記接続先端末情報で指定される着呼側端末装置とコネクションを確立する手段と、当該確立した着呼側端末装置とのコネクションと発呼側端末装置とのコネクションとを接続するコネクション切替手段とを備え、前記発呼側端末装置と前記着呼側装置間で情報授受をするようにした
ことを特徴とするＡＴＭ網通信システム。
【請求項２】
前記ＡＴＭコネクション装置は、前記ネットワーク制御装置から発呼側端末装置の接続情報を受信する手段と、当該受信した接続情報に基づき前記発呼側端末装置とのコネクションを確立する手段とを有する請求項１記載のＡＴＭ網通信システム。
【請求項３】
前記着呼側装置が前記ＡＴＭコネクション装置を経由して、発呼側ＡＴＭコネクション装置とのコネクションが確立されたら、該発呼側ＡＴＭコネクション装置とのコネクションと、接続している着呼側端末装置とのコネクションとを接続する
請求項１記載のＡＴＭ網通信システム。
【請求項４】
前記端末接続情報記憶手段には、さらに、端末装置が収容されているＡＴＭコネクション装置を特定する情報が端末装置に対応付けられて蓄積記憶されている
請求項１ないし３のいずれか記載のＡＴＭ網通信システム。
【請求項５】
前記ＡＴＭコネクション装置は、端末装置を無線回線を介して収容する基地局機能をさらに備え、端末装置の移動に伴い、前記端末接続情報記憶手段に記憶されているＡＴＭコネクション装置を特定する情報更新を前記ネットワークサービス装置に依頼する手段を有する
請求項４記載のＡＴＭ網通信システム。
【請求項６】
端末装置およびＡＴＭ網に接続制御する手段と、
当該接続している端末装置とのコネクションと当該接続しているＡＴＭ網を介した他装置とのコネクションとを接続するコネクション切替手段を有するＡＴＭコネクション装置と、
ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置と
を備えたＡＴＭ網でのデータ通信方法であって、
端末装置から前記ＡＴＭコネクション装置に相手端末装置への接続要求を送出するステップと、
前記ＡＴＭコネクション装置が前記接続要求を受信すると、前記ネットワークサービス制御装置にＡＴＭ網を介してコネクション接続するステップと、
該コネクション接続すると前記ネットワークサービス制御装置が、前記端末装置からの接続要求内容に対応する接続情報を前記端末接続記憶手段から読み出し、ユーザ・ネットワーク・インタフェースにより前記ＡＴＭコネクション装置に送信するステップと、
前記接続情報を前記ＡＴＭコネクション装置が受信すると、当該ＡＴＭコネクション装置と前記ネットワークサービス制御装置とのコネクションを切断するステップと、
前記ＡＴＭコネクション装置が前記受信した接続情報に基づきＡＴＭ網を介して接続先端末装置とのコネクションを確立するステップと、
前記ＡＴＭコネクション装置が前記コネクション切替手段により、前記端末装置または前記接続先端末装置からデータを受信したら他方の端末装置のコネクションにより当該受信したデータを送出するステップと
を有することを特徴とするＡＴＭ網データ通信方法。
【請求項７】
端末装置およびＡＴＭ網に接続制御する手段と、
当該接続している端末装置とのコネクションと当該接続しているＡＴＭ網を介した他装置とのコネクションとを接続するコネクション切替手段を有するＡＴＭコネクション装置と、
ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置と
を備えたＡＴＭ網でのデータ通信方法であって、
発呼側端末装置がＡＴＭ網を介して前記ネットワークサービス制御装置に接続するステップと、
前記発呼側端末装置からユーザ・ネットワーク・インタフェースにより前記発呼側端末装置からの接続要求内容に対応する接続情報を前記端末情報記憶手段から読み出すステップと、
該読み出した接続情報から接続先装置がＡＴＭコネクション装置を介して接続されていると判明した場合は、ネットワークサービス制御装置は、前記発呼側端末装置とのコネクションを切断し、該読み出されたＡＴＭコネクション装置と接続し、前記発呼側端末装置および接続先端末装置に関する情報を前記ユーザ・ネットワーク・インタフェースにより前記接続したＡＴＭコネクション装置に送信するステップと、
ＡＴＭコネクション装置が当該情報を受信すると、ＡＴＭコネクション装置とネットワークサービス制御装置とのコネクションを切断するステップと、
前記ＡＴＭコネクション装置が前記発呼側端末装置とＡＴＭ網を介してコネクションを確立し、接続先端末装置とコネクションを確立するステップと、
前記ＡＴＭコネクション装置は、前記コネクション切替手段により、前記端末装置または前記接続先端末装置からデータを受信したら他方の端末装置のコネクションにより当該受信したデータを送出するステップと
を有することを特徴とするＡＴＭ網データ通信方法。
【手続補正３】
【補正対象書類名】明細書
【補正対象項目名】００１２
【補正方法】変更
【補正の内容】
【００１２】
すなわち、本発明は、ユーザ・ネットワーク・インタフェースによる通信機能を夫々に備えたＡＴＭコネクション装置およびネットワークサービス制御装置がＡＴＭ網に接続され、前記ユーザ・ネットワーク・インタフェースによる通信機能を備えた端末装置が前記ＡＴＭコネクション装置およびＡＴＭ網を介して他の端末装置と情報を授受するＡＴＭ網通信システムにおいて、前記ネットワークサービス制御装置は、ユーザ・ネットワーク・インタフェースにより設定変更できる端末識別情報とそれに対応するＡＴＭ網での接続情報を少なくとも含む端末装置の接続情報を蓄積保持する端末接続情報記憶手段と、前記ユーザ・ネットワーク・インタフェースにより接続先の前記端末識別子情報が受信されると、当該受信した端末識別情報に対応するＡＴＭ網での接続情報が前記端末接続情報記憶手段から接続先端末情報として読み出され、該読み出された接続先端末情報を前記ユーザ・ネットワーク・インタフェースによって前記ＡＴＭコネクション装置に送信する手段とを備え、前記ＡＴＭコネクション装置は、前記ネットワークサービス制御装置から受信した前記接続先端末情報で指定される着呼側端末装置とコネクションを確立する手段と、当該確立した着呼側端末装置とのコネクションと発呼側端末装置とのコネクションとを接続するコネクション切替手段とを備え、前記発呼側端末装置と前記着呼側装置間で情報授受をするようにしたことを特徴とする。
【手続補正４】
【補正対象書類名】明細書
【補正対象項目名】００１３
【補正方法】変更
【補正の内容】
【００１３】
なお、前記ＡＴＭコネクション装置は、前記ネットワーク制御装置から発呼側端末装置の接続情報を受信する手段と、当該受信した接続情報に基づき前記発呼側端末装置とのコネクションを確立する手段とを有することができる。また、前記着呼側装置が前記ＡＴＭコネクション装置を経由して、発呼側ＡＴＭコネクション装置とのコネクションが確立されたら、該発呼側ＡＴＭコネクション装置とのコネクションと、接続している着呼側端末装置とのコネクションとを接続することができる。また、前記端末接続情報記憶手段には、さらに、端末装置が収容されているＡＴＭコネクション装置を特定する情報が端末装置に対応付けられて蓄積記憶されていることができる。前記ＡＴＭコネクション装置は、端末装置を無線回線を介して収容する基地局機能をさらに備え、端末装置の移動に伴い、前記端末接続情報記憶手段に記憶されているＡＴＭコネクション装置を特定する情報更新を前記ネットワークサービス装置に依頼する手段を有することができる。


【手続補正５】
【補正対象書類名】明細書
【補正対象項目名】００１４
【補正方法】変更
【補正の内容】
【００１４】
また、本発明は、端末装置およびＡＴＭ網に接続制御する手段と、当該接続している端末装置とのコネクションと当該接続しているＡＴＭ網を介した他装置とのコネクションとを接続するコネクション切替手段を有するＡＴＭコネクション装置と、ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置とを備えたＡＴＭ網でのデータ通信方法であって、端末装置から前記ＡＴＭコネクション装置に相手端末装置への接続要求を送出するステップと、前記ＡＴＭコネクション装置が前記接続要求を受信すると、前記ネットワークサービス制御装置にＡＴＭ網を介してコネクション接続するステップと、該コネクション接続すると前記ネットワークサービス制御装置が、前記端末装置からの接続要求内容に対応する接続情報を前記端末接続記憶手段から読み出し、ユーザ・ネットワーク・インタフェースにより前記ＡＴＭコネクション装置に送信するステップと、前記接続情報を前記ＡＴＭコネクション装置が受信すると、当該ＡＴＭコネクション装置と前記ネットワークサービス制御装置とのコネクションを切断するステップと、前記ＡＴＭコネクション装置が前記受信した接続情報に基づきＡＴＭ網を介して接続先端末装置とのコネクションを確立するステップと、前記ＡＴＭコネクション装置が前記コネクション切替手段により、前記端末装置または前記接続先端末装置からデータを受信したら他方の端末装置のコネクションにより当該受信したデータを送出するステップとを有することを特徴とする。
【手続補正６】
【補正対象書類名】明細書
【補正対象項目名】００１５
【補正方法】変更
【補正の内容】
【００１５】
また、本発明は、端末装置およびＡＴＭ網に接続制御する手段と、当該接続している端末装置とのコネクションと当該接続しているＡＴＭ網を介した他装置とのコネクションとを接続するコネクション切替手段を有するＡＴＭコネクション装置と、ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置とを備えたＡＴＭ網でのデータ通信方法であって、発呼側端末装置がＡＴＭ網を介して前記ネットワークサービス制御装置に接続するステップと、前記発呼側端末装置からユーザ・ネットワーク・インタフェースにより前記発呼側端末装置からの接続要求内容に対応する接続情報を前記端末情報記憶手段から読み出すステップと、該読み出した接続情報から接続先装置がＡＴＭコネクション装置を介して接続されていると判明した場合は、ネットワークサービス制御装置は、前記発呼側端末装置とのコネクションを切断し、該読み出されたＡＴＭコネクション装置と接続し、前記発呼側端末装置および接続先端末装置に関する情報を前記ユーザ・ネットワーク・インタフェースにより前記接続したＡＴＭコネクション装置に送信するステップと、ＡＴＭコネクション装置が当該情報を受信すると、ＡＴＭコネクション装置とネットワークサービス制御装置とのコネクションを切断するステップと、前記ＡＴＭコネクション装置が前記発呼側端末装置とＡＴＭ網を介してコネクションを確立し、接続先端末装置とコネクションを確立するステップと、前記ＡＴＭコネクション装置は、前記コネクション切替手段により、前記端末装置または前記接続先端末装置からデータを受信したら他方の端末装置のコネクションにより当該受信したデータを送出するステップとを有することを特徴とする。